(57)【特許請求の範囲】
【請求項１】
発側電話機からのトークバック呼び出し操作にて着側電話機にトークバック着信サービスを提供する電話制御装置に接続され、親機と、この親機に無線接続される子機とからなるコードレス電話機であって、
前記親機と前記子機の各々にスピーカおよびマイクロホンを具備し、
前記親機は、子機設置状態を検知する検知手段と、前記電話制御装置からトークバック着信メッセージを受信する受信手段と、前記受信手段によりトークバック着信メッセージを受信すると前記検知手段にて得られた子機設置状態を確認する確認手段と、前記確認手段により前記子機が設置されていることを確認すると、該親機のスピーカとマイクロホンによる発側電話機との双方向通話を可能とする親機通話構成手段と、前記確認手段により前記子機が設置されていないことを確認すると前記子機へトークバック指示メッセージを送信する送信手段とを備え、
前記子機は、前記トークバック指示メッセージを受信して該子機のスピーカとマイクロホンによる発側電話機との双方向通話を可能とする子機通話構成手段とを備えることを特徴とするコードレス電話機。
【請求項２】
前記子機は、前記親機からのトークバック指示メッセージを受信するとトークバック指示確認メッセージを前記親機に返信する返信手段を備え、
前記親機は、前記トークバック指示メッセージを前記子機に送信後、所定時間内に該子機から前記返信手段によりトークバック指示確認メッセージが返信されない場合、前記親機通話構成手段が前記親機のスピーカとマイクロホンによる双方向通話を可能にすることを特徴とする請求項１に記載のコードレス電話機。
【請求項３】
前記親機通話構成手段は、前記電話制御装置からトークバック着信メッセージを受信時に前記確認手段により子機が設置されていないことを確認し前記返信手段によりトークバック指示確認メッセージが返信されると、前記発側電話機から前記親機のスピーカへの片方向通話を可能にすることを特徴とする請求項２に記載のコードレス電話機。
【請求項４】
前記親機通話構成手段は、前記電話制御装置からトークバック着信メッセージを受信時に前記確認手段により子機が設置されていないことを確認すると、前記発側電話機から前記親機のスピーカへの片方向通話を可能にすることを特徴とする請求項１に記載のコードレス電話機。
【請求項５】
前記親機は、トークバック応答するか否かを設定する親機トークバック設定手段を有し、
前記親機トークバック設定手段により親機トークバック応答する設定がされている場合にのみ、前記親機通話構成手段が前記親機のスピーカとマイクロホンによる双方向通話を可能にすることを特徴とする請求項１または２に記載のコードレス電話機。
【請求項６】
前記子機は、子機にてトークバック応答するか否かを設定する子機トークバック設定手段を有し、
前記子機トークバック設定手段により子機トークバック応答する設定がされている場合にのみ、前記子機通話構成手段が前記子機のスピーカとマイクロホンによる双方向通話を可能にすることを特徴とする請求項１から４の何れか１項に記載のコードレス電話機。
【請求項７】
前記検知手段が、親機に設けられると共に前記子機への充電状態を検出することができる子機充電部であることを特徴とする請求項１から６の何れか１項に記載のコードレス電話機。
【発明の詳細な説明】
【技術分野】
【０００１】
本発明は、トークバック着信サービスを提供する電話制御装置に接続され、スピーカからの音声による呼び出しとマイクロホンを通じて音声応答できるコードレス電話機に関する。
【背景技術】
【０００２】
従来、着信側の電話機に装備されたスピーカを使って、発信側の電話機から音声による呼び出しを行い、着信側の電話機のマイクロホンを通じて音声応答（以下、トークバック通話ともいう）することができるボタン電話装置が知られている。このようなボタン電話装置を開示するものとして例えば特許文献１がある。
【０００３】
特許文献１には、ボタン電話主装置に内線収容され、他内線電話機からの音声呼び出し中に発信側と着信側内線間の双方向通話パスを形成し、着側電話機に具備したスピーカとマイクロホンを使って発側内線電話機から強制的にトークバック通話を行うことができるボタン電話装置が開示されている。
【０００４】
しかし、この特許文献１のボタン電話装置は、いわゆるコードレス電話機を前提としたものではない。コードレス電話機は、電話機本体（親機）に受話器（子機）を載置して親機と子機間を無線で接続する電話機であるが、特許文献１のボタン電話そうちは、このコードレス電話機の親機と他の内線電話機との間のトークバック通話だけに限られるものである。
【０００５】
すなわち、特許文献１の場合、ボタン電話装置の内線電話機としてコードレス電話機を使用したときには、子機を親機から外して親機から子機が遠く離れた状態で、他の内線電話機からトークバック音声呼び出しが行われると、親機に具備されたスピーカとマイクロホンによる自動応答となり、親機とは別の場所にある子機とは事実上トークバック通話を行うことができない。
【０００６】
このような親機と子機の関係において、親機と子機の双方にハンズフリー通話モードの通話機能を搭載し、被呼者が「ハイ」という声を発すると、その音声を認識することにより、通話が可能なコードレス電話機も提案されている（特許文献２参照）。
【０００７】
しかし、この特許文献２のコードレス電話機は、トークバック呼び出しに自動応答するものではなく、親機と子機の双方に、着信鳴動中に特定音声を検出する音声検出回路と、この検出に基づいてハンズフリー通話モードに切り替えるハンズフリー通話手段と、充電動作中であることを検出する充電検出回路からなるトークバック通話機能を搭載して、子機が親機に充電のために接続されている状態では、親機のみあるいは子機のみに通話が限定されるものである。
【特許文献１】特開平７−１６２９１５号公報
【特許文献２】特許第３４６９６５６号公報
【発明の開示】
【発明が解決しようとする課題】
【０００８】
特許文献１のコードレス電話機では、子機を親機から離れた場所で使用する場合には、トークバック着信時に親機が自動応答してしまい、子機では自動応答することができなかった。例えば、机上の親機から子機を外し、近くの会議机等での打合せをしながら使用するような使い方でトークバック通話を利用することはできなかった。
【０００９】
また、特許文献２のコードレス電話機は、音声認識の精度が問題になる上に、コストアップに繋がる。しかも、子機を持ち運ぶコードレス電話機においては、圏外に移動したときなどの対処が十分できていない。
【００１０】
すなわち、子機がトークバック応答するように設定してあったとしても、電波が届かなかったり、電源が入っていなかったりするような場合に、親機でトークバック応答するのが目的に適うし、子機がトークバック応答しているときに親機でも発信側の音声を聞き取ることができれば利便性は高まる。
【００１１】
そして、トークバック着信時に、トークバック通話特性が親機よりも劣ることが多い子機で自動応答するのは、利用者の傍に親機があるときには、利用方法として必ずしも合理的とは言えない。親機で通話する方が勝る場合も多い。さらに利用者が親機でトークバック通話したいと考えたときには、利用者の意思によりこれを拒否したり、子機と親機のどちらでトークバックするか選択したりする余地があるのが望ましい。
【００１２】
そこで本発明は、このような従来の問題を解決するものであり、電話制御装置に接続されるコードレス電話機において、トークバック着信サービスをより使い勝手良いものにすることができる内線電話機を提供することを目的とする。
【課題を解決するための手段】
【００１３】
このような問題を解決するために本発明は、トークバック着信サービスを提供する電話制御装置に接続され、親機と、この親機に無線接続される子機とからなるコードレス電話機であって、親機と子機の各々にスピーカおよびマイクロホンを具備し、親機は、子機設置状態を検知する検知手段と、電話制御装置からトークバック着信メッセージを受信する受信手段と、受信手段によりトークバック着信メッセージを受信すると検知手段にて得られた子機設置状態を確認する確認手段と、確認手段により子機が設置されていることを確認すると、該親機のスピーカとマイクロホンによる発側電話機との双方向通話を可能とする親機通話構成手段と、確認手段により子機が設置されていないことを確認すると子機へトークバック指示メッセージを送信する送信手段とを備え、子機は、トークバック指示メッセージを受信して該子機のスピーカとマイクロホンによる発側電話機との双方向通話を可能とする子機通話構成手段とを備えることを特徴とする。
【発明の効果】
【００１４】
本発明のコードレス電話機によれば、子機を持ち歩き、親機から離れた移動先でコードレス電話機の子機を使用しても、トークバック着信時に、子機でトークバック通話することができ、使い勝手の良い内線電話機を提供することができる。
【発明を実施するための最良の形態】
【００１５】
上記課題を解決するために本発明の第１の発明は、発側電話機からのトークバック呼び出し操作にて着側電話機にトークバック着信サービスを提供する電話制御装置に接続され、親機と、この親機に無線接続される子機とからなるコードレス電話機であって、親機と子機の各々にスピーカおよびマイクロホンを具備し、親機は、子機設置状態を検知する検知手段と、電話制御装置からトークバック着信メッセージを受信する受信手段と、受信手段によりトークバック着信メッセージを受信すると検知手段にて得られた子機設置状態を確認する確認手段と、確認手段により子機が設置されていることを確認すると、該親機のスピーカとマイクロホンによる発側電話機との双方向通話を可能とする親機通話構成手段と、確認手段により子機が設置されていないことを確認すると子機へトークバック指示メッセージを送信する送信手段とを備え、子機は、トークバック指示メッセージを受信して該子機のスピーカとマイクロホンによる発側電話機との双方向通話を可能とする子機通話構成手段とを備えることを特徴とするコードレス電話機である。
【００１６】
この構成によって、子機を持ち歩き、親機から離れた移動先でコードレス電話機の子機を使用しても、トークバック着信時に、子機でトークバック通話することができ、使い勝手の良い内線電話機を提供することができる。
【００１７】
本発明の第２の発明は、第１の発明に従属する発明であって、子機が、親機からのトークバック指示メッセージを受信するとトークバック指示確認メッセージを親機に返信する返信手段を備え、親機は、トークバック指示メッセージを子機に送信後、所定時間内に該子機から返信手段によりトークバック指示確認メッセージが返信されない場合、親機通話構成手段が親機のスピーカとマイクロホンによる双方向通話を可能にすることを特徴とするコードレス電話機である。
【００１８】
この構成によって、子機を持ち歩き、親機から離れた移動先でコードレス電話機の子機を使用しても、トークバック着信時に、子機でトークバック通話することができ、子機が親機から離れ圏外、または子機の電源が入っていないなどの理由により子機トークバック応答できない場合でも、親機を使用してトークバック通話ができる。
【００１９】
本発明の第３の発明は、第２の発明に従属する発明であって、親機通話構成手段は、電話制御装置からトークバック着信メッセージを受信時に確認手段により子機が設置されていないことを確認し返信手段によりトークバック指示確認メッセージが返信されると、発側電話機から親機のスピーカへの片方向通話を可能にすることを特徴とするコードレス電話機である。
【００２０】
この構成によって、親機と子機に同時に音声呼び出しを行い、親機には発側電話機から送話のみ、子機には発側電話機と双方向のトークバック通話となる。親機の周辺にいる者で電話対応が可能になる。
【００２１】
本発明の第４の発明は、第１の発明に従属する発明であって、親機通話構成手段は、電話制御装置からトークバック着信メッセージを受信時に確認手段により子機が設置されていないことを確認すると、発側電話機から親機のスピーカへの片方向通話を可能にすることを特徴とするコードレス電話機である。
【００２２】
この構成によって、トークバック着信メッセージを受信して機が設置されていないことを確認したら、トークバック指示確認メッセージが着信するのを待たずに直ちに電話制御装置から親機のスピーカへの片方向通話を可能にすることができる。
【００２３】
本発明の第５の発明は、第１または２の発明に従属する発明であって、親機は、トークバック応答するか否かを設定する親機トークバック設定手段を有し、親機トークバック設定手段により親機トークバック応答する設定がされている場合にのみ、親機通話構成手段が親機のスピーカとマイクロホンによる双方向通話を可能にすることを特徴とするコードレス電話機である。
【００２４】
この構成によって、トークバック着信時は無条件にトークバック通話を行うのではなく、電話機毎に、通常の音声呼び出し（発側電話機→着側電話機）とするかトークバック通話（発側電話機←→着側電話機）とするかの選択ができる。トークバック応答しない設定の場合には、通常の音声呼び出し（発側電話機→着側電話機）にすることができる。
【００２５】
本発明の第６の発明は、第１から４の何れか１の発明に従属する発明であって、子機は、子機にてトークバック応答するか否かを設定する子機トークバック設定手段を有し、子機トークバック設定手段により子機トークバック応答する設定がされている場合にのみ、子機通話構成手段が子機のスピーカとマイクロホンによる双方向通話を可能にすることを特徴とするコードレス電話機である。
【００２６】
この構成によって、トークバック着信時は無条件にトークバック通話を行うのではなく、電話機毎に、通常の音声呼び出し（発側電話機→着側電話機）とするかトークバック通話（発側電話機←→着側電話機）とするかの選択ができる。子機を親機から外し、子機が親機の直近に位置する場合など、子機でのトークバック通話が煩わしく、親機でトークバックしたい利用者には、子機でのトークバック応答を規制し、規制時は親機でのトークバック通話のみ可とすることができる。
【００２７】
本発明の第７の発明は、第１から６の何れか１の発明に従属する発明であって、検知手段が、親機に設けられると共に子機への充電状態を検出することができる子機充電部であることを特徴とするコードレス電話機である。
【００２８】
この構成によって、親機の子機充電部を用いて、子機設置状態を検出することができる。
【００２９】
（実施の形態１）
本発明の実施の形態１におけるコードレス電話機について説明する。図１は本発明の実施の形態１におけるコードレス電話機の概観図、図２は本発明の実施の形態１におけるコードレス電話機を接続するＰＢＸ（Ｐｒｉｖａｔｅ  Ｂｒａｎｃｈ  ｅＸｃｈａｎｇｅ）のシステム構成図、図３は本発明の実施の形態１におけるコードレス電話機の親機のブロック構成図、図４は本発明の実施の形態１におけるコードレス電話機の子機のブロック構成図である。
【００３０】
そして、図５は本発明の実施の形態１におけるコードレス電話機が子機設置状態かつ親機にトークバック呼び出しを行うときのシーケンス図、図６は本発明の実施の形態１におけるコードレス電話機が子機非設置状態かつ子機にトークバック呼び出しを行うときのシーケンス図であり、図７は本発明の実施の形態１におけるコードレス電話機の親機のトークバック通話のフローチャート、図８は本発明の実施の形態１におけるコードレス電話機の子機のトークバック通話のフローチャート、図９は図２のシステムで送受信される呼制御メッセージのフォーマット説明図である。
【００３１】
まず、コードレス電話機の構成について説明する。図１は実施の形態１のコードレス電話機であるカールコードレス電話機１を示す。図１に示すように、カールコードレス電話機１は親機２と子機３とから構成される。親機２には充電台を兼ねるハンドセット収容部４が設けられ、このハンドセット収容部４に子機３を置いたときには端部の充電出力端子４７（図３参照）を介して子機３への充電が行われ、子機３をオフフックして持ち運んだときは数十ｍから百ｍに近い距離で親機２を介しての通信が可能になる。
【００３２】
親機２には、その本体側面に姿勢を調整できるアンテナ２ａと、本体正面にはバックライト付きの液晶表示部（ＬＣＤ：Ｌｉｑｕｉｄ  Ｃｒｙｓｔａｌ  Ｄｉｓｐｌａｙ）５が設けられている。これにより各種情報を表示する。また、本体上端には着信があったときに点滅して報知する着信ランプ６も設けられている。親機２の正面中央のエリアには多様なボタンやダイヤル、キーを配置した操作部７が設けられている。
【００３３】
操作部７には、例えば、外線ボタンとして使用する機能ボタン／ランプ８、相手番号をダイヤルするダイヤルボタン９、短縮ダイヤルや再ダイヤル、転送などの複数のファンクションキー１０が配置される。
【００３４】
同様に、機能ボタン／ランプ８と、ダイヤルボタン９及びファンクションキー１０が配置された間の狭いエリアには、通話中を示す通話中ランプ、親機２に子機３を置いたときに点灯するオンフックランプ、親機トークバック設定状態を表すトークバックランプ等のランプ１１が配設されており、操作部７の下端部にはモニターボタン、音量を調節する音量ボタン、通話を保留する保留ボタン等が設けられている。
【００３５】
さらに、ハンドセット収容部４には上面に子機３を持ち上げたとき露出されるスピーカ４ａが設けられ、本体下端にはハンズフリー通話時に音声入力するマイクロホン２ｂが設けられている。親機２でトークバック通話を行う場合にはこのマイクロホン２ｂとスピーカ４ａを使って行う。
【００３６】
次に子機３の説明をすると、子機３にもバックライト付きの液晶表示部１４が設けられ、処理情報等を表示する。この液晶表示部１４の上には受話口１５が設けられ、機能ボタン／ランプ１７、着信に応答および発信する開始ボタン１９ａ、通話を切断終了する終了ボタン１９ｂ、ダイヤルボタン１８、子機トークバック設定状態を表すトークバックランプを含む各種ランプ２０が配置され、ダイヤルボタン１８の下方に送話口２１が設けられると共に、子機３の端部には子機３をハンドセット収容部４に置いたとき、充電を行う充電入力端子３ａ（図４参照）が設けられている。また、子機３の背面側に着信音やハンズフリー通話の受話音を拡声するスピーカ４ｂが設けられ、子機３を携帯した状態でトークバック通話するときには、子機３の送話口２１と、背面側のスピーカ４ｂを使って行う。
【００３７】
続いて、図２に基づいてこのカールコードレス電話機１が接続され、トークバック着信サービスを提供することができる電話制御装置３０、ここではＰＢＸのシステム構成について説明する。図２はカールコードレス電話機１を接続する電話制御装置３０の一つであるＰＢＸのシステム構成を示す。なお、以下ＰＢＸのシステム構成について説明するが、これはボタン電話システムや、ＩＰ（Ｉｎｔｅｒｎｅｔ  Ｐｒｏｔｏｃｏｌ）電話システムでも基本的に変わりがない。
【００３８】
図２において、電話制御装置３０には、公衆回線網などの外線と接続される外線インターフェース制御部３１と、内線電話機Ａ，Ｂ，Ｃ等の内線と接続される内線インターフェース制御部３２と、外線および内線間を時分割で通話路を接続する通話スイッチ３３が設けられている。そして、この電話制御装置３０には、ハードウェアとしてのＣＰＵ（中央演算処理装置）にプログラムを読み込んで機能し、通話スイッチ３３を制御するＣＰＵ部３４と、ＣＰＵ部３４で処理される呼制御プログラムとデータを記憶したメモリー部３５が設けられている。
【００３９】
内線電話機Ｂから内線電話機Ａへトークバック呼び出し操作を行うと、破線矢印で示したルートを辿ってトークバック通話メッセージは親機２に着信し、子機３が親機２のハンドセット収容部４から外されているときには内線電話機Ｂは子機３とトークバック通話が可能になり、子機３がハンドセット収容部４に置いてあれば内線電話機Ｂは親機２との間でトークバック通話が可能になる。
【００４０】
さて、ここでカールコードレス電話機１の制御ブロックの構成について説明する。図３はカールコードレス電話機１の親機２のブロック構成を示す。親機２には、電話制御装置３０側とのインターフェースである電話制御装置通信部４１（本発明における受信手段）が設けられており、受信データから取り出されたメッセージデータは制御部４２に入力され、ＣＰＵ部４２ａはこれを基に電話機の制御を行い、必要なデータはメモリー部４２ｂに記憶する。
【００４１】
この電話制御装置３０と電話制御装置通信部４１との間で送受信されるメッセージのフォーマットの一例を図９に示す。この詳細については後述する。
【００４２】
制御部４２は、ＣＰＵ部４２ａとメモリー部４２ｂ、タイマ４２ｃなどから構成され、親機２を構成する各制御ブロックに対して制御の指示を行う。例えば、子機３が親機２から離れた位置にあるときは、制御部４２は無線通信部４３（本発明におけるトークバック指示メッセージを送信する送信手段）に子機２との間で無線接続するように命令し、制御信号、音声データ信号を送受信させる。
【００４３】
そして、音声コーデック（ｅｎＣＯｄｅｒ  ＤＥＣｏｄｅｒ）回路が配置され音声データのＡＤ／ＤＡ変換／圧縮／伸張等のデジタル信号処理を行うオーディオ回路部５０と、電話制御装置通信部４１と無線通信部４３およびオーディオ回路部５０の間にあって、制御部４２の指示により親機内の音声データの通話路切替を行う通話切替回路部４９が設けられている。
【００４４】
また、オーディオ回路部５０には、アナログ音声入力部となるマイクロホン２ｂとオーディオ回路部でＤＡ変換された音声を拡声するスピーカ４ａが接続される。
【００４５】
なお、オーディオ部５０が処理するのは、マイクロホン２ｂを使ったときの音声信号だけには限られない。着信があったときには呼び出し音等を鳴動させる必要があり、この場合にも信号処理が必要になる。呼び出し音等は、制御部４２がメモリー部４２ｂから呼び出し音の音声データを取り出し、この音声データをＤＡ変換し、スピーカ４ａから出力する。
【００４６】
このほか制御部４２には、子機３の充電入力端子３ａと接し子機３への充電電流を出力する充電出力端子４７と、子機３への充電電流を検出し制御部４２に充電電流値を出力する充電検出回路部４８と、機能ボタン／ランプ８、ダイヤルボタン９等のボタンやファンクションキー１０からの入力を入力するインターフェースとしての入力部４４が接続されている。同様のインターフェースとして、機能ボタン／ランプ８のランプや、親機トークバック応答設定状態を示す親機トークバックランプ、通話中を示す通話ランプ等のランプ１１の点灯、消灯、点滅制御を行うランプ部４５が接続され、また、各種情報を表示するＬＣＤ部４６も接続される。
【００４７】
次に、図４に基づいて子機３のシステムのブロック構成について説明する。図４において、子機３にはアンテナ５１ａが設けられており、受信した無線信号は無線通信部５１に入力される。無線通信部５１は無線信号からメッセージデータと音声データを取り出して、メッセージデータを制御部５２に、音声データをオーディオ回路部５８に出力する。
【００４８】
そして、子機３のオーディオ回路部５８には、親機２と同様に音声コーデックを配置され、アナログ音声入力部となるマイクロホン２１とオーディオ回路部でＤＡ変換された音声を拡声するスピーカ４ｂと受話口に配置されたスピーカ１５が接続される。制御部５２はＣＰＵ部５２ａとメモリー部５２ｂなどから構成され、子機３の各制御ブロックを制御する。
【００４９】
子機３には充電池５３が設けられており、子機３が充電台でもある親機２のハンドセット収容部４に置かれた状態で、親機２の充電出力端子４７、充電入力端子３ａを介して充電が行われる。この充電入力端子３ａには、子機３が充電中であるか否かを検出する充電検出回路部５７が接続されており、充電中か否かの検出結果を制御部５２に入力できるようになっている。また、充電検出回路部５７では充電池の充電容量を検知して、制御部５２に入力する。
【００５０】
このほか子機３の制御部５２には、機能ボタン／ランプ１７、ダイヤルボタン１８、開始ボタン１９ａ、終了ボタン１９ｂからの入力を入力するインターフェースとしての入力部５４が接続されている。同様に、インターフェースとして、機能ボタン／ランプ１７のランプや子機トークバック設定状態を示す子機トークバックランプ等のランプに対する点灯、消灯、点滅制御を行えるランプ部５５が接続されると共に、各種情報を表示するＬＣＤ部５６も接続される。
【００５１】
さて、次に実施の形態１におけるカールコードレス電話機１のトークバック着信通話の構成について説明する。カールコードレス電話機１は、トークバック着信したときに親機２と子機３の少なくとも何れかで、スピーカ４ａ，４ｂから音声呼び出しを行ってマイクロホン２ｂ、送話口２１を通じて音声応答することが可能な機能を有している。
【００５２】
このため親機２には、トークバック着信があったときに、親機２でトークバック通話するか、親機２と子機３の双方を使っての通話にするか（つまり親機２への片方向送話および子機３とのトークバック通話）、子機３でトークバック通話を行うか、の切り替えを行うための通話切替回路部４９（本発明における親機通話構成手段）が設けられている。
【００５３】
すなわち、図３の通話切替回路部４９では、この回路をオーディオ回路部５０に接続するか、無線通信部４３に接続するか、この双方を行うのか、などの音声データ伝送経路の切り替えを行うことができる。これにより、親機２だけで発側電話機とトークバック通話を行ったり、親機２に送話すると同時に子機３においてはトークバック通話を行ったり、子機３だけでトークバック通話したりすることができる。
【００５４】
この切り替えを行うために、親機２は、トークバック着信時にはまず、子機３がハンドセット収容部４内に載置されているか、持ち運び中かを検出する。実施の形態１においては、この２つの状態を子機３の充電と関係付け、子機３が充電中であればハンドセット収容部４に置いてあると判断し、充電中でなければ子機３は利用者が携行中と判断する。このため、充電出力端子４７を介して充電されているか否かを検出することができる充電検出回路４８（本発明における検出手段）が設けられている。
【００５５】
ただ、このように充電をこの２つの状態と関係付けるのではなく、子機３が置かれるハンドセット収容部４にフックスイッチを設け、子機３がハンドセット収容部４内に載置されているか、外されているかをフックスイッチのＯＮ／ＯＦＦ状態と対応させ、子機３のオンフック／オフフックをフックスイッチによって直接検出するようにしてもよい。
【００５６】
また、実施の形態１においては、充電検出回路４８が親機２と一体に配設されているが、これを別体の充電アダプタとし（図示はしない）、親機２から分離した別構造の形態で子機に充電することもできる。この場合は、子機３が充電アダプタに載置されているときが子機設置状態となり、充電アダプタに載置されていない場合が子機非設置状態となる。
【００５７】
この充電検出回路４８によって検出された検出結果は制御部４２に入力され、ＣＰＵ部４２ａ内に設けられた子機状態判定手段４２ａ１（本発明における確認手段）が、子機設置状態あるいは子機非設置状態の何れかを判定する。この判定方法としては、例えば、親機２の充電検出回路４８によって充電電流を検知し、一定時間以上にわたって閾値以上の充電電流値を検出すれば、子機充電中（子機設置状態）と判定し、充電電流値が閾値より少なければ子機３が非充電中（子機非設置状態）と判定してもよい。なお、この子機状態判定手段４２ａ１はＣＰＵ部４２ａに搭載された判定手段であって、プログラムをメモリー部４２ｂからＣＰＵ部４２ａに読み込んでソフトウェア的に実行される機能実現手段である。
【００５８】
子機状態判定手段４２ａ１は充電検出回路４８から検出結果が入力されると、メモリー部４２ｂに設けられた設定部４２ｂ１を参照する。設定部４２ｂ１にはトークバック応答するか否かの設定がなされている。
【００５９】
この設定部４２ｂ１、設定部５２ｂ１を設けた理由は、トークバック着信時に無条件にトークバック通話を行うのではなく、利用者の設定により親機２、子機３毎に、通常の音声呼び出し（発側電話機→着側電話機）とするか、トークバック通話（発側電話機←→着側電話機）とするかなどの選択ができるようにするためである。
【００６０】
すなわち、子機３でのトークバック通話は基本的に利用者にとって使い勝手が良いため、子機３とのトークバック通話を基本に据えるのが通常は合理的と考えられる。しかし、親機２でトークバック通話したいと考える利用者には、利用者の意思により子機３でのトークバック通話を優先させるようにするのがよい。子機３の通話特性はその子機としての性格上必ずしも親機よりも高くなく、常に子機で自動応答するのが使い易いとは言えないからである。
【００６１】
例えば、子機３を親機２から取り上げた状態で、親機２の直近にいるときなどの場合は、子機３でのトークバック通話の方が聞き取りにくく、親機２のスピーカ４ａを利用する方が聞き取り易い。このような場合にトークバック通話を考える利用者に対して、子機３でのトークバック通話を制限し、制限時には親機２のみでトークバック通話する機能を提供しておくことはきわめて有効である。
【００６２】
続いて、この設定部４２ｂ１、設定部５２ｂ１にトークバック通話の設定を行う構成について説明する。
【００６３】
親機２でトークバック設定を行うときは、入力部４４にトークバック設定キーを設け、トークバック設定キーとＬＣＤ部４６を使って設定モードを選択し、ＣＰＵ部４２ａにメモリー部４２ｂから親機２のトークバック応答の設定を行うプログラムを呼び出して、これにより親機トークバック設定手段４２ａ２（本発明における親機トークバック設定手段）を構成し、親機２の状態をトークバック応答に設定する。親機トークバック設定手段４２ａ２もソフトウェア的に構成される機能実現手段である。
【００６４】
親機トークバック設定手段４２ａ２は親機２においてトークバック応答許可の登録／解除手段として機能する。子機３へのトークバック通話は、親機トークバック設定手段４２ａ２により、設定部４２ｂ１に子機３のトークバック応答が登録され、かつ、子機３が親機２に非設置の場合のみ可能になる。
【００６５】
子機３においてトークバック設定を行うときは、親機２と同様に、入力部５４にトークバック設定キーを設け、トークバック設定キーとＬＣＤ部５６を使ってトークバック応答の設定モードを選択し、ＣＰＵ部５２ａにメモリー部５２ｂからトークバック応答の設定プログラムを呼び出して、機能実現手段である子機トークバック設定手段５２ａ１（本発明における子機トークバック設定手段）を構成し、子機３の設定状態をトークバック応答に設定することができる。子機３においてトークバック応答許可の登録／解除手段として機能する。子機トークバック設定手段５２ａ１により、設定部５２ｂ１に子機３のトークバック応答が登録され、かつ、子機３が親機２に設置されていない場合のみ、子機３によるトークバック通話ができる。
【００６６】
ここで、カールコードレス電話機１と電話制御装置３０間で送受信される呼制御メッセージのフォーマットについて説明する。呼制御メッセージは例えば図９に示したようなフォーマットをしており、電話制御装置３０とカールコードレス電話機１間のメッセージには、ポート番号の領域にこのどちらかのメッセージ送信元ポート番号が格納される。
【００６７】
また、メッセージ種別の領域には、呼設定、呼設定応答、応答、切断、呼出、キーパッド、表示、その他の種別を表す種別情報が格納される。
【００６８】
情報要素種別にはメッセージ種別に応じた情報要素の種別に関する情報が格納される。この情報要素種別には、着信種別、発信者情報、着信者情報、キー情報、ランプ情報、表示情報などがある。そして、情報要素詳細の領域には、上記情報要素種別の詳細データが格納される。例えば、着信種別の場合、信号着信、音声着信、トークバック着信、メール着信等の何れであるかの情報が格納される。
【００６９】
従って、トークバック呼び出し操作を行ってトークバック着信メッセージを送信する場合には、メッセージ種別に呼設定の情報が書き込まれ、情報要素種別に着信種別が、情報要素詳細に着信種別の詳細内容であるトークバック着信を示す情報が書き込まれて送信される。
【００７０】
なお、親機２のメモリー部４２ｂには、以上説明した設定部４２ｂ１のほかに、状態フラグ部４２ｂ２も設けられている。この状態フラグ部４２ｂ２には、親機２と子機３の状態、例えば待ち受け状態であるとか、トークバック着信、子機通話中などの各状態のフラグがセットされる。カールコードレス電話機１のその時点における状態をフラグで保持しておくものである。子機設置状態または子機非設置状態の検出結果をこの状態フラグ部４２ｂ２の１つとして記憶しておき、必要に応じて参照することもできる。
【００７１】
さて、以上説明した親機２と子機３の構成により、子機３が充電中で子機設置状態であると判定され、このとき親機２の設定部４２ｂ１に親機によるトークバック応答（親機トークバック応答）の設定がなされており、かつ、子機３の設定部５２ｂ１に子機によるトークバック応答（子機トークバック応答）の設定がなされていない場合（自動的に子機３がトークバック応答するモードでない場合）には、制御部４２は設定部５２ｂ１を参照し、親機のスピーカ４ａ、マイクロホン２ｂをＯＮとし、状態フラグを親機トークバックとして、親機トークバックランプを点滅させ、親機２と発側電話機との間でトークバック通話を開始する。
【００７２】
これを目視した利用者が子機３をオフフックし、開始キーを押下したときには、親機のスピーカ４ａとマイクロホン２ｂをＯＦＦとし、子機３の制御部５２はスピーカ４ｂをＯＦＦ、受話口１５のスピーカと送話口２１のマイクロホンをＯＮ、通話ランプを点灯させ、子機３と発側電話機との間で通常の子機によるハンドセット通話を開始する。
【００７３】
次に、子機３が充電中ではなく子機非設置状態（持ち運んでいる状態）であると判定され、このとき親機２の設定部４２ｂ１に親機トークバック応答の設定がなされておらず、かつ、子機３の設定部５２ｂ１に子機トークバック応答の設定がなされている場合には、制御部４２は設定部５２ｂ１を参照し、無線通信部５１からトークバック指示メッセージを子機３に送信し、子機３は制御部５２に搭載した返信手段５２ａ２によってトークバック確認メッセージを親機２に送信する。同時に子機３は制御部５２によって子機３のスピーカ４ｂと、送話口２１のマイクロホンをＯＮにする。親機２はトークバック確認メッセージを受信すると自身のスピーカ４ａをＯＮにする。
【００７４】
これにより、親機のスピーカ４ａから音声出力が可能になると共に、子機３と発側電話機との間でトークバック通話が行えるようになる。なお、子機状態判定手段４２ａ１が、子機３が設置されていないことを確認したら、トークバック確認メッセージを受信するのを待たずに、直ちに電話制御装置３０から親機２のスピーカへの片方向通話を可能にすることもできる。
【００７５】
また、子機３が子機非設置状態であって、親機２の設定部４２ｂ１に親機トークバック応答の設定がなされており、かつ、子機３の設定部５２ｂ１に子機トークバック応答の設定がなされていない場合は、直ちに親機２と発側電話機との間でトークバック通話を開始する。
【００７６】
なお、子機３の設定部５２ｂ１に子機トークバック応答の設定がなされていない場合であって、かつ、例えば子機３が親機２の圏外に移動した場合や、子機３の電源が入っていない場合等のように、トークバック指示を行ってから所定時間が経過しても、子機３からトークバック確認のメッセージがない場合は、子機トークバックを止め、親機２でのスピーカ４ａとマイクロホン２ｂを使った通話に切り替える。すなわち、親機２は子機３が所定時間応答しない場合は、通話切替回路部４９により親機２でのトークバック通話に移行させる。経過時間はタイマ４２ｃでカウントする。
【００７７】
このように実施の形態１のカールコードレス電話機１は、親機２と子機３に対してそれぞれトークバックのための音声呼び出しが行えると共に、子機非設置状態には親機２に発側電話機から送話のみをして、子機３では発側電話機と双方向のトークバック通話を可能にすることができる。また、圏外や電源が入っていない場合などの子機３がトークバック応答できない場合には、親機２を使用してトークバック通話ができる。これにより親機２の周辺にいる者が電話対応を行える。
【００７８】
ここで、親機２、子機３の設定部４２ｂ１，５２ｂ１にトークバック応答の設定がなされていない場合は、通常の音声呼び出しとなる。しかし別の設定とすることもできる。親機２だけにトークバック応答の設定がなされている場合は、上記のとおり親機２がトークバック通話を行う。また、親機２にトークバック応答の設定がなされておらず、子機３にのみトークバック応答の設定がなされている場合も同様で、子機３だけがトークバック通話を行う。
【００７９】
続いて、以上説明したカールコードレス電話機１のシステム構成を基にして、図２に示す内線電話機Ｂから電話制御装置経由でカールコードレス電話機である内線電話機Ａにトークバックの音声呼び出しを行い、トークバック通話が行われ、回線が切断されるシーケンスについて説明する。
【００８０】
まず、内線電話機Ａの子機３が親機２のハンドセット収容部４内に載置された状態で、親機２へのトークバック呼び出しを行い、子機３で応答するときのシーケンスを説明する。すなわち、親機２の設定部４２ｂ１に親機トークバック応答の設定がなされている場合である。
【００８１】
図５において、内線電話機Ｂをオフフックし（ｓｑ１）、トークバック呼出特番を押下し（ｓｑ２）、さらに相手の内線電話機Ａの内線番号を押下する（ｓｑ３）。これらの信号は電話制御装置３０に順に送信され、電話制御装置３０の呼制御プログラムにて内線電話機Ａへのトークバック着信要求と判断されると、電話制御装置３０から内線電話機Ａの親機２にトークバック着信メッセージを送出する（ｓｑ４）。この時、電話制御装置３０は、トークバック通話のために内線電話機Ａと内線電話機Ｂの通話スイッチ３３を双方向接続する。そして親機２は、電話制御装置３０からのトークバック着信メッセージを受信すると、確認手段により子機設置状態を確認し、子機設置状態が設置状態であると判断すると親機通話構成手段によって、オーディオ回路部５０にスピーカ４ａとマイクロホン２ｂをＯＮとして、通話切替回路部４９をオーディオ部５０に接続する。親機２はトークバック通話中を報知するためトークバックランプを点滅させる。
【００８２】
これ以降は通常の着信動作のシーケンスに移行する。例えば、親機でのトークバック通話中に子機３がオフフックし開始キー押下した場合を説明すると、この開始メッセージが子機３から親機２に通知され（ｓｑ５）、親機２から電話制御装置３０へ応答メッセージが送信されると共に（ｓｑ６）、子機３に子機通話指示メッセージが送信される（ｓｑ７）。さらに、電話制御装置３０は内線電話機Ａに応答メッセージを通知する（ｓｑ８）。これにより、親機２でのトークバック通話から子機３でのハンドセットによる内線電話機Ａと内線電話機Ｂ間の通話が開始される。なお、前記ｓｑ５の説明で、クイック通話機能として一般的な子機３のオフフック操作のみで、子機３からの開始メッセージを親機２に通知し通話を開始しても良い。
【００８３】
その後、内線電話機Ｂによる切断操作（オンフック）で、その旨のメッセージが電話制御装置３０に送信され（ｓｑ９）、親機２に切断メッセージが送信されると共に（ｓｑ１０）、子機３には通話制御装置からの音声データとして送出される切断音が送信される。これに対して内線電話機Ａの子機３をオンフックするか終了キーを押下すると、子機３から親機２に終了信号が送信され（ｓｑ１１）、内線電話機Ａは電話制御装置に通話呼を解放する解放メッセージを送出し（ｓｑ１２）、通話を終了する。
【００８４】
次に、内線電話機Ａの子機３が親機２のハンドセット収容部４内に載置されていないとき（非載置中）、子機３へのトークバック呼び出しを行うときのシーケンスについて説明する。すなわち、子機設置状態が非設置状態で子機３の設定部５２ｂ１に子機トークバック応答の設定がなされている場合である。
【００８５】
図６において、内線電話機Ｂをオフフックし（ｓｑ２１）、トークバック呼出特番を押下し（ｓｑ２２）、さらに相手の内線電話機Ａの内線番号を押下する（ｓｑ２３）。これらの信号は電話制御装置３０に順に送信され、電話制御装置３０の呼制御プログラムにて内線電話機Ａへのトークバック着信要求と判断されると、電話制御装置３０から内線電話機Ａの親機２にトークバック着信メッセージを送出する（ｓｑ２４）。また、この時、電話制御装置３０は、トークバック通話のために内線電話機ＡとＢの通話スイッチ３３を双方向接続する。親機２は、電話制御装置３０からのトークバック着信メッセージを受信すると、確認手段により子機設置状態を確認し、子機設置状態が非設置状態であると判断すると、親機２は子機３にトークバック指示メッセージを通知する（ｓｑ２５）。子機３は、親機２からのトークバック指示メッセージを受信し、子機背面のスピーカ４ｂ，送話口２１のマイクロホンをＯＮ、子機トークバック通話ランプを点滅させ、子機３によるトークバック通話を形成する。これにより、親機２の状態フラグは通常の呼び出しから、子機トークバック着信に変更され、内線電話機Ａと内線電話機Ｂの間のトークバック通話が開始される（ｓｑ２６）。
【００８６】
内線電話機Ｂの利用者が通話を終了するためオンフックすると、オンフックの信号は電話制御装置３０に送信され（ｓｑ２７）、電話制御装置３０は内線電話機Ａの親機２に切断メッセージを送信する（ｓｑ２８）。さらに内線電話機Ａの親機２は、親機２の状態フラグが子機トークバック着信状態での切断メッセージ受信であることを確認すると親機２から子機３に切断メッセージが送信され（ｓｑ２９）、親機２の状態フラグは待ち受け状態に変更される。子機３はスピーカ４ｂ、送話口２１のマイクロホンをＯＦＦに戻し、トークバック応答設定を報知する点灯状態に子機トークバックランプの状態を戻す。以上のシーケンスによって、内線電話機Ａの子機３が親機２のハンドセット収容部４内に非載置のときにも、内線電話機Ａと内線電話機Ｂの間のトークバック通話を行うことができる。
【００８７】
次に、子機３が親機２のハンドセット収容部４内に非載置のときに、片方向送話モードを選ぶことにより、無条件に子機３がトークバック応答するのではなく、子機３へのトークバック呼び出しを行うが、親機２のスピーカ４ａを使って親機２へ音声着信させることもできる。
【００８８】
この場合内線電話機Ｂからトークバック呼び出しを行うと、図６に示したシーケンスと同様のシーケンスで、電話制御装置３０は内線電話機Ａと内線電話機Ｂの通話スイッチをトークバック通話のために双方向接続する。親機２は、電話制御装置３０からのトークバック着信メッセージを受信すると、子機設置状態を確認し、子機設置状態が非設置状態であると判断した場合、親機２は子機３にトークバック指示メッセージを通知して、子機３は親機２へトークバック指示確認メッセージを送信する。
【００８９】
親機２は、このトークバック指示確認メッセージを受信すると、内線電話機Ｂから親機２への音声呼び出しとなり、親機２は自身の状態フラグを親機音声着信に変更し、親機２のスピーカ４ａをＯＮにする。これにより内線電話機Ｂからの音声は親機２のスピーカ４ａから片方向から出力されることになる。なお、トークバック指示確認メッセージの受信を待たずに直ちに片方向出力させることもできる。
【００９０】
次いで、親機２は自身の状態フラグを子機トークバック着信、親機音声着信に変更し、内線電話機Ｂと子機３とのトークバック通話が開始される。その後、内線電話機Ｂの利用者が通話を終了するためオンフックすると、通話終了となる。
【００９１】
続いて、内線電話機Ｂの子機３が親機２のハンドセット収容部４内に載置されていないとき（非載置中）に子機３へトークバック呼び出しを行ったが、子機３が圏外へ移動したか、電源が入っていなかったときのシーケンスについて簡単に説明する。親機２の設定部４２ｂ１に親機トークバック応答の設定がなされておらず、子機３の設定部５２ｂ１に子機トークバック応答の設定がなされている場合である。
【００９２】
この場合も内線電話機Ｂからトークバック呼び出しを行うと、図６と同様のシーケンスで、電話制御装置３０は内線電話機Ａと内線電話機Ｂの通話スイッチ３３をトークバック通話のために双方向接続する。次いで親機２は、電話制御装置３０からトークバック着信メッセージを受信すると、子機設置状態を確認する。子機設置状態が非設置状態であると判断した場合、親機２は子機３にトークバック指示メッセージを通知する。この通知と共に親機２ではタイマ４２ｃにトークバック指示確認受信タイム（トークバック指示確認メッセージの応答待ち時間）をセットし、計時を開始する。
【００９３】
このとき子機３が親機２の圏外に移動していたとすると、トークバック指示確認受信タイムがタイムアウトしても子機３と親機２は接続することができない。そこで、タイマ４２ｃがタイムアウトしたとき、親機２は自身の状態フラグを子機トークバック着信から親機トークバック着信に変更する。これにより、内線電話機Ａと内線電話機Ｂの間のトークバック通話が可能になる。
【００９４】
以上説明した本発明の実施の形態１におけるカールコードレス電話機１にトークバック着信があったときの親機２の動作についてフローチャートに基づいて説明する。図７は親機２の動作のフローチャートである。
【００９５】
親機２がトークバック着信メッセージを受信すると（ｓｔｅｐ１）、子機設置状態を検出し（ｓｔｅｐ２）、子機設置状態の検出結果を判定する（ｓｔｅｐ３）。判定結果が非設置であれば子機３にトークバック指示メッセージを送信し（ｓｔｅｐ４）、トークバック指示確認メッセージ受信を受信するためタイマ４２ｃをセットする（ｓｔｅｐ５）。
【００９６】
親機２はトークバック指示メッセージの送信を行ってから子機３からトークバック指示確認メッセージを受信するまで待機する（ｓｔｅｐ６）。ｓｔｅｐ６において、タイマ４２ｃが満了するまでに親機２が子機３からトークバック指示確認メッセージを受信した場合は、親機スピーカを電話制御装置からの受話に接続して（ｓｔｅｐ７）、終了する。
【００９７】
ｓｔｅｐ７の動作により、親機２は電話制御装置３０から親機２のスピーカ４ａへの片方向送話を可能にすることができる。子機３にトークバック通話の設定がなされている場合には電話制御装置３０は子機３とトークバック通話が可能になる。親機２と子機３に同時に音声呼び出しが行え（親機２には発呼側電話機から送話のみ）、子機３には発呼側電話機と双方向のトークバック通話となる。
【００９８】
次に、ｓｔｅｐ６において、親機２が子機３からトークバック指示確認メッセージを受信しなかった場合はタイマ４２ｃが満了したか否かを確認し（ｓｔｅｐ８）、満了していない場合はｓｔｅｐ６に戻ってこのルーチンを繰り返す。ｓｔｅｐ８においてタイマ４２ｃが満了した場合、親機にトークバック設定がなされているか判定するためｓｔｅｐ９へ進む。
【００９９】
ｓｔｅｐ９では、ｓｔｅｐ３において子機設置状態の検出結果がハンドセット収容部４内に載置された状態（設置）の場合と、ｓｔｅｐ８においてタイマ４２ｃが満了した場合とについて、親機２でトークバック設定がなされているか否かの判定が行われる。トークバック応答の設定がなされていない場合は、通常の音声呼び出しとして親機２のスピーカ４ａを電話制御装置３０からの受話に接続して（ｓｔｅｐ１０）、終了する。
【０１００】
また、ｓｔｅｐ９において、トークバック応答の設定がなされている場合は、子機３が設置された状態でトークバック設定がなされているため、親機２のスピーカ４ａを電話制御装置３０からの受話とし（ｓｔｅｐ１１）、親機２のマイクロホン２ｂをＯＮにして電話制御装置３０への送話にして（ｓｔｅｐ１２）、親機２のトークバックランプを点滅させ（ｓｔｅｐ１３）、終了する。
【０１０１】
このように実施の形態１におけるカールコードレス電話機１は、無条件にトークバック通話を行うのではなく、親機２と子機３毎に、通常の音声呼び出し（発側電話機→着側電話機）とするか、トークバック通話（発側電話機←→着側電話機）とするかの選択を行うことができる。なお、トークバック応答しない設定の場合に、ここでは通常の音声呼び出しとするように設定しているが、これとは別の設定をすることもできる。
【０１０２】
続いて、カールコードレス電話機１にトークバック着信があったときの子機３の動作についてフローチャートに基づいて説明する。図８は子機３の動作のフローチャートである。
【０１０３】
子機３が親機２からトークバック指示メッセージを受信すると（ｓｔｅｐ２１）、子機３は親機２にトークバック指示確認メッセージを送信する（ｓｔｅｐ２２）。
【０１０４】
次に、子機３にトークバック設定がなされているか否かの判定を行う（ｓｔｅｐ２３）。トークバック応答の設定がなされていない場合は、通常の音声呼び出しとして子機スピーカを電話制御装置３０からの受話に接続して（ｓｔｅｐ２４）、終了する。
【０１０５】
すなわち、トークバック応答する設定がされている場合にのみ、子機３のスピーカ４ｂ、送話口２１のマイクロホンによる双方向通話を可能とすることができる。トークバック着信時に無条件にトークバック通話を行うのではなく、子機３で通常の音声呼び出し（発側電話機→着側電話機）とするかトークバック通話（発側電話機←→着側電話機）とするか選択ができる。
【０１０６】
これにより、親機２のみでトークバックしたい利用者には、子機３でのトークバックを制限して、機能制限時には親機２でのトークバック通話のみできるようにすることができる。
【０１０７】
また、ｓｔｅｐ２３において、子機３によるトークバック応答の設定がなされている場合は、子機３のスピーカ４ｂ、受話口１５のスピーカを電話制御装置３０からの受話にし（ｓｔｅｐ２５）、子機３の送話口２１のマイクロホンを電話制御装置への送話とし（ｓｔｅｐ２６）、子機３のトークバックランプを点滅させ（ｓｔｅｐ２７）、終了する。
【０１０８】
このように本発明の実施の形態１におけるカールコードレス電話機１によれば、子機３にトークバック通話用のスピーカ４ｂ、受話口１５のスピーカ、送話口２１のマイクロホンを設けているため、持ち運び使用する子機３を使ってトークバック通話ができる。また、子機３が親機２のハンドセット収容部に設置されているかどうかを検出する子機設置状態検出手段を設けているため、音声呼び出し受信時に、受信時の子機設置状態を知ることができる。子機設置状態の検知は親機２にフックスイッチを設け、このフックスイッチのＯＮ／ＯＦＦ状態を検知するのでもよい。
【０１０９】
また、この子機設置状態検出手段により、かつ子機設置状態に応じて、トークバック通話先を親機２／子機３の何れにするかを決定する。もし、子機設置状態が子機オンフック中（子機設置中）なら、親機２へのトークバック通話とし、子機オフフック状態（子機非設置中）なら子機３へのトークバック通話を可能にする。
【０１１０】
さらに、子機３／親機２のトークバック設定モードを設定する設定手段を親機２／子機３に設け、子機３／親機２の各々のトークバック設定モードに応じてトークバック通話を許可するため、子機３へのトークバック通話は、子機３のトークバック応答が登録され、かつ、子機３が親機２に設置されていない場合のみ可能になる。
【産業上の利用可能性】
【０１１１】
本発明は、トークバック着信サービスを提供する電話制御装置に接続されるコードレス電話機に適用できる。
【図面の簡単な説明】
【０１１２】
【図１】本発明の実施の形態１におけるコードレス電話機の概観図
【図２】本発明の実施の形態１におけるコードレス電話機を接続するＰＢＸのシステム構成図
【図３】本発明の実施の形態１におけるコードレス電話機の親機のブロック構成図
【図４】本発明の実施の形態１におけるコードレス電話機の子機のブロック構成図
【図５】本発明の実施の形態１におけるコードレス電話機が子機設置状態かつ親機にトークバック呼び出しを行うときのシーケンス図
【図６】本発明の実施の形態１におけるコードレス電話機が子機非設置状態かつ子機にトークバック呼び出しを行うときのシーケンス図
【図７】本発明の実施の形態１におけるコードレス電話機の親機のトークバック通話のフローチャート
【図８】本発明の実施の形態１におけるコードレス電話機の子機のトークバック通話のフローチャート
【図９】図２のシステムで送受信される呼制御メッセージのフォーマット説明図
【符号の説明】
【０１１３】
１    カールコードレス電話機
２    親機
２ａ    アンテナ
２ｂ    マイクロホン
３    子機
３ａ    充電入力端子
４    ハンドセット収容部
４ａ，４ｂ    スピーカ
５    液晶表示部
６    着信ランプ
７    操作部
８    機能ボタン／ランプ
９    ダイヤルボタン
１０    ファンクションキー
１１    ランプ
１４    液晶表示部
１５    受話口（スピーカ）
１７    機能ボタン／ランプ
１８    ダイヤルボタン
１９ａ    開始ボタン
１９ｂ    終了ボタン
２０    ランプ
２１    送話口（マイクロホン）
３０    電話制御装置
３１    外線インターフェース制御部
３２    内線インターフェース制御部
３３    通話スイッチ
３４    ＣＰＵ部
３５    メモリー部
４１    電話制御装置通信部
４２    制御部
４２ａ    ＣＰＵ部
４２ａ１    子機状態判定手段
４２ａ２    親機トークバック設定手段
４２ｂ    メモリー部
４２ｂ１    設定部
４２ｂ２    状態フラグ部
４２ｃ    タイマ
４３    無線通信部
４４    入力部
４５    ランプ部
４６    ＬＣＤ部
４７    充電出力端子
４８    充電検出回路
４９    通話切替回路部
５０    オーディオ回路部
５１    無線通信部
５１ａ    アンテナ
５２    制御部
５２ａ    ＣＰＵ部
５２ａ１    子機状態判定手段
５２ａ２    返信手段
５２ｂ    メモリー部
５２ｂ１    設定部
５３    充電池
５４    入力部
５５    ランプ部
５６    ＬＣＤ部
５７    充電検出回路部
５８    オーディオ回路部
【図１】
0005012643.tif 000002
【図２】
0005012643.tif 000003
【図３】
0005012643.tif 000004
【図４】
0005012643.tif 000005
【図５】
0005012643.tif 000006
【図６】
0005012643.tif 000007
【図７】
0005012643.tif 000008
【図８】
0005012643.tif 000009
【図９】
0005012643.tif 000010